(57)【要約】      （修正有）【課題】所望濃度のラドンミストを連続して噴射できるコンパクトなラドンミスト噴射ユニットを提供する。【解決手段】ラドンミスト噴射ユニット１は、（１）ラジウム鉱石１２及び水１３を収容し、ラドンが溶け込んだラドン含有水を生成するラドン溶出水槽２と、（２）ラドン溶出水槽２内とラドン放出室３とを接続するラドン含有水案内路４と、（３）ラドン含有水案内路４のラドン放出室３側端部に配置されたミスト噴射手段６と、（４）ラドン溶出水槽２内を加圧し、ラドン溶出水槽２内のラドン含有水をラドン含有水案内路４へ送り出すと共に、圧縮空気をミスト噴射手段６にエア配管８を介して供給し、ラドンミストをミスト噴射手段６からラドン放出室３の室内３４に噴射させるコンプレッサ７と、（５）ラドン含有水案内路４内のラドン含有水を加熱する加熱手段５と、を備えている。【選択図】図１
2015027393.tif 000002
【特許請求の範囲】
【請求項１】
放射性物質含有鉱石及び水を収容し、前記水にラドンが溶け込んだラドン含有水を生成
するラドン溶出水槽と、
前記ラドン溶出水槽内とラドン放出室とを接続するラドン含有水案内路と、
前記ラドン含有水案内路の前記ラドン放出室側端部に配置されたミスト噴射手段と、
前記ラドン溶出水槽内を加圧し、前記ラドン溶出水槽内の前記ラドン含有水を前記ラド
ン含有水案内路へ送り出すと共に、圧縮空気を前記ミスト噴射手段にエア配管を介して供
給し、ラドンミストを前記ミスト噴射手段から前記ラドン放出室の室内に噴射させるコン
プレッサと、
前記ラドン含有水案内路の途中に配置され、前記ラドン含有水案内路内の前記ラドン含
有水を加熱する加熱手段と、
を備えたことを特徴とするラドンミスト噴射ユニット。
【請求項２】
前記ラドン放出室の室内で、且つ、前記ミスト噴射手段の噴射口を取り囲む部位には、
ラドンミスト受けボックスが設置され、
前記ラドンミスト受けボックスは、前記ミスト噴射手段から噴射された前記ラドンミス
トを内部空間に収容した後、前記ラドンミストをラドンミスト排出孔から前記ラドン放出
室の室内へ噴射する、
ことを特徴とする請求項１に記載のラドンミスト噴射ユニット。
【請求項３】
前記ラドン放出室は、前記ミスト噴射手段が上方に配置され、前記室内の空気を通気路
に送り出す排気手段が下方に配置され、前記排気手段によって前記通気路に送り出された
空気が前記ミスト噴射手段よりも上方の位置の通気口から前記室内に送り込まれるように
なっている、
ことを特徴とする請求項１又は２に記載のラドンミスト噴射ユニット。
【発明の詳細な説明】
【技術分野】
【０００１】
この発明は、ラドンが溶け込んだラドン含有水を加熱し霧状にしてラドン放出室（例え
ば、シャワールーム）内に噴射し、生活習慣病の対処療法などに利用するラドンミスト噴
射ユニットに関するものである。
【背景技術】
【０００２】
従来から、日本において、ラドン温泉として有名な三朝温泉の各種疾病に対する治療効
果が広く知られている。また、オーストリア及びドイツにおいて、ラドン吸入療法が神経
痛や末梢循環障害等の医療行為として認められている。そして、このような、ラドン等の
放射線壊変生成物を含有する温泉などの効能に着目した各種装置が案出されている。
【０００３】
例えば、浴室などの閉鎖された空間内に設置するだけでラドンミストサウナ浴施設を実
現できるラドンミスト発生装置が既に案出されている。このラドンミスト発生装置は、外
部から供給される原料水の加熱手段を備えた蒸気槽と、放射性物質を担持させた多孔質セ
ラミックスパネルを備えたラドン放出槽とから構成してあり、蒸気槽から導出した水蒸気
を含む湿潤空気がラドン放出槽内の多孔質セラミックスパネルを透過することにより、ラ
ドンミストがラドン放出槽内において生成され、そのラドン放出槽内のラドンミストがラ
ドン放出槽外（例えば、浴室内）へ噴出させられるようになっている（特許文献１参照）
。
【先行技術文献】
【特許文献】
【０００４】
【特許文献１】特開２００８−１４２３２６号公報
【発明の概要】
【発明が解決しようとする課題】
【０００５】
このようなラドンミスト発生装置は、水蒸気を含む湿潤空気が多孔質セラミックスパネ
ルを透過することによりラドンミストを生成するようになっているため、所望濃度（ラド
ン濃度）のラドンミストを生成する必要がある場合、ラドン放出槽内でラドンミストを循
環させ、ラドンミストが多孔質セラミックスパネルを複数回通過させられるようになって
いる。したがって、このようなラドンミスト発生装置は、複数人が交互に連続して利用す
るような場合に、ラドン放出槽内においてラドンミストを循環させることができず、所望
濃度のラドンミストを生成できないという問題を有している。このような問題を解消する
ためには、多孔質セラミックスパネルの数を増加させることが考えられるが、装置の大型
化を招来するという新たな問題が生じる。
【０００６】
そこで、本発明は、所望濃度のラドンミストを連続して噴射できるコンパクトなラドン
ミスト噴射ユニットの提供を目的とする。
【課題を解決するための手段】
【０００７】
本発明のラドンミスト噴射ユニット１は、
・放射性物質含有鉱石１２及び水１３を収容し、ラドンが溶け込んだラドン含有水を生
成するラドン溶出水槽２と、
・前記ラドン溶出水槽２内とラドン放出室３とを接続するラドン含有水案内路４と、
・前記ラドン含有水案内路４の前記ラドン放出室３側端部に配置されたミスト噴射手段
６と、
・前記ラドン溶出水槽２内を加圧し、前記ラドン溶出水槽２内の前記ラドン含有水を前
記ラドン含有水案内路４へ送り出すと共に、圧縮空気を前記ミスト噴射手段６にエア配管
８を介して供給し、ラドンミストを前記ミスト噴射手段６から前記ラドン放出室３の室内
３４に噴射させるコンプレッサ７と、
・前記ラドン含有水案内路４の途中に配置され、前記ラドン含有水案内路４内の前記ラ
ドン含有水を加熱する加熱手段５と、
を備えている（図１参照）。
【発明の効果】
【０００８】
本発明のラドンミスト噴射ユニットによれば、ラドン溶出水槽内に放射性物質含有鉱石
と水を収容することにより、水にラドンが溶出してなる所望ラドン濃度のラドン含有水を
生成し、そのラドン溶出水槽内のラドン含有水がなくなるまで、ミスト噴射手段から温め
られた所望ラドン濃度のラドンミストを連続して噴射することができる。したがって、本
発明のラドンミスト噴射ユニットは、複数人が交互に連続して利用するような場合にも、
構造を大型化することなく、コンパクトな構造のままで対応できる。
【図面の簡単な説明】
【０００９】
【図１】本発明に係るラドンミスト噴射ユニットの構造図である。
【図２】図１のラドンミスト噴射ユニットのラドン放出室をＡ１−Ａ１線に沿って切断して示す図であり、ラドンミスト受けボックスの一部を破断して示す図である。
【図３】図３（ａ）は図２の一部を拡大して示す図であり、図３（ｂ）は図３（ａ）のＡ２−Ａ２線に沿って切断して示す図であり、図３（ｃ）は図３（ａ）のＢ方向から見た図であり、図３（ｄ）はラドンミスト受けボックスの変形例を示す図（図３（ｂ）に対応する断面図）である。
【発明を実施するための形態】
【００１０】
以下、本発明の実施形態を図面に基づき詳述する。
【００１１】
図１は、本発明に係るラドンミスト噴射ユニット１の実施形態を示す図である。この図
１に示すように、ラドンミスト噴射ユニット１は、ラドン溶出水槽２とラドン放出室３（
例えば、シャワールーム）とをラドン含有水案内路４で接続し、このラドン含有水案内路
４の途中に加熱手段５が配置され、ラドン含有水案内路４のラドン放出室３側端部にミス
ト噴射手段６が設置されている。また、このラドンミスト噴射ユニット１は、コンプレッ
サ７がエア配管８を介してラドン溶出水槽２に接続されると共に、エア配管８を介してミ
スト噴射手段６に接続されている。このようなラドンミスト噴射ユニット１は、シャワー
ユニットのように、浴室、又は部屋の片隅に設置できるようなコンパクトな構造になって
いる。
【００１２】
ラドン溶出水槽２は、ステンレス鋼（例えば、ＳＵＳ３０４）等で形成された有底筒状
の加圧タンク本体１０と、この加圧タンク本体１０の上部に着脱可能又は開閉可能に取り
付けられた蓋部材１１と、を有している。
【００１３】
加圧タンク本体１０は、内部にラジウム鉱石（放射性物質含有鉱石）１２と水１３が収
容される。なお、放射性物質含有鉱石は、水にラドンを溶出させることができる塊状物で
あり、例えば、天然のラジウム鉱石の塊や、天然のラジウム鉱石の粉末を他の物質と共に
焼き固めてなる塊状物等である。
【００１４】
蓋部材１１は、加圧タンク本体１０内の加圧された空気を外部に排出するためのリリー
フバルブ１４が取り付けられている。また、蓋部材１１は、エア配管８の端部に第１ジョ
イント部１５で着脱可能に接続されている。また、蓋部材１１は、ラドン含有水案内路４
の端部に第２ジョイント部１６で着脱可能に接続されている。また、蓋部材１１の第２ジ
ョイント部１６には、取水手段１７が取り付けられている。
【００１５】
取水手段１７は、一端側が加圧タンク本体１０の底部１０ａ側に開口し、他端側がラド
ン含有水案内路４に接続されており、ラドン溶出水槽２内がコンプレッサ７によって加圧
されると、ラドンが水１３に溶出してなるラドン含有水（１３）をラドン含有水案内路４
へ送り出す。ここで、ラドンミスト噴射ユニット１は、一般的に夜間の使用がない。した
がって、ラドン溶出水槽２内の水１３には、夜間に、ラジウム鉱石１２から十分な量のラ
ドンが溶け込む。なお、ラドン溶出水槽２は、２０リットル程度の水１３を収容できるも
のが使用されるが、これに限られず、使用条件（ミスト噴射手段６からの単位時間当たり
のミスト噴射量や、利用者１人当たりのミスト噴射量等）に応じた容量のものが使用され
る。
【００１６】
また、ラドン溶出水槽２は、蓋部材１１のリリーフバルブ１４で加圧タンク本体１０内
の加圧された残留エアが放出され、ラドン含有水案内路４内に残留しているラドン含有水
が回収された後、蓋部材１１が第１及び第２ジョイント部１５，１６でエア配管８及びラ
ドン含有水案内路４から取り外され、蓋部材１１が加圧タンク本体１０の上部を開放した
状態において、内部にラジウム鉱石１２と水１３が収容される。また、このラドン溶出水
槽２は、内部の水１３の水位を目視できる水位検知手段（図示せず）又は内部の水１３の
水位を電気信号として検知する水位センサ（図示せず）が設置されている。
【００１７】
コンプレッサ７は、エア配管８のうちの第１エア配管８ａによってラドン溶出水槽２に
接続され、エア配管８のうちの第２エア配管８ｂによってミスト噴射手段６に接続され、
加圧されたエア（圧縮空気）をラドン溶出水槽２及びミスト噴射手段６に供給するように
なっている。
【００１８】
エア配管８は、コンプレッサ７とラドン溶出水槽２とを接続すると共に、コンプレッサ
７とミスト噴射手段６とを接続している。このエア配管８は、コンプレッサ７側端部が開
閉バルブ１８を介してコンプレッサ７に接続されている。また、エア配管８は、途中でラ
ドン溶出水槽２に接続される第１エア配管８ａとミスト噴射手段６に接続される第２エア
配管８ｂとに分岐している。そして、第１エア配管８ａの途中には、管路の開閉を行う開
閉バルブ２０が設置されている。また、第１エア配管８ａは、その端部側にラドン溶出水
槽２内の圧力を検知するための圧力計を備えたレギュレーター２１が設置され、端部が第
１ジョイント部１５を介してラドン溶出水槽２に接続されている。第２エア配管８ｂの途
中には、管路の開閉を行う開閉バルブ２２が設置されている。また、第２エア配管８ｂは
、開閉バルブ２３の下流側に圧力計付きのレギュレーター２４が設置され、このレギュレ
ーター２４の下流側にコントローラ２５によって開閉制御される電磁開閉バルブ２６が設
置されている。
【００１９】
加熱手段５は、ラドン含有水案内路４の途中に設置された貯水タンク２７と、この貯水
タンク２７に設置されたヒータ２８と、貯水タンク２７内のラドン含有水の水温を検知す
る温度センサ３０と、貯水タンク２７の水量を検知するフロートスイッチ３１を有してい
る。貯水タンク２７は、ステンレス鋼（例えば、ＳＵＳ３０４）で形成され、内部に所定
量のラドン含有水を収容できるようになっており、ラドン含有水を一時的に溜めるダムの
機能を有している。ヒータ２８は、コントローラ２５によって通電制御され、貯水タンク
２７内のラドン含有水を所定の温度（例えば、９０℃）に加熱する。なお、このヒータ２
８によるラドン含有水の加熱温度は、使用条件（大気温度等）に応じて調整される。温度
センサ３０は、貯水タンク２７内のラドン含有水の水温検知結果を電気信号としてコント
ローラ２５に出力できるものであればよい。また、フロートスイッチ３１は、いわゆる空
焚きを防止するために設置されている。すなわち、フロートスイッチ３１がオンしていな
い場合には、コントローラ２５によってヒータ２８への通電が遮断される。
【００２０】
ミスト噴射手段６は、加熱手段５によって加熱されたラドン含有水案内路４のラドン含
有水と、コンプレッサ７から第２エア配管８ｂを介して供給された所定圧のエア（圧縮空
気）とを合流させて、ラドンミストとしてラドン放出室３内へ噴射するようになっている
。なお、ミスト噴射手段６としては、例えば、二流体自動スプレーガンを使用することが
できる。
【００２１】
ラドン放出室３は、少なくとも、椅子３２に着座した人間３３を１人収容できる室内３
４のスペースを有し、人の出入りを可能とする開閉可能な扉（図示せず）を有し、扉を閉
じた場合に密閉性を確保できるようになっている。このラドン放出室３の天井３５には、
ルームヒータ３６が設置されており、室内３４を暖めることができるようになっている。
また、このラドン放出室３は、図２に示すように、平面視した形状が略矩形形状であり、
室内３４の４隅のうちの一角に、床面３７側から天井３５側まで延びる通気路３８が室内
３４と区画された状態で形成されている。この通気路３８は、平面視した形状が略三角形
状となるように形成されている。
【００２２】
また、ラドン放出室３は、通気路３８が区画形成されたコーナー側壁４０の内面で、且
つ、室内３４の上方に、ラドンミストを室内３４に噴射するミスト噴射手段６が設置され
ている。また、ラドン放出室３は、通気路３８が区画形成されたコーナー側壁４０の内面
で、且つ、ミスト噴射手段６の噴射口６ａを取り囲む部位にラドンミスト受けボックス４
１が取り付けられている。ラドンミスト受けボックス４１は、図３（ａ）〜（ｃ）に示す
ように、ミスト噴射手段６から噴射されたラドンミストを内部空間４２に収容した後、ラ
ドンミストをラドンミスト排出孔４３からラドン放出室３の室内３４へ噴射するようにな
っている。このラドンミスト受けボックス４１は、断面四角形状の筒状体であり、対向す
る稜線部４４，４４が上下に位置するように取り付けられており、上方側の両傾斜面４５
，４５にそれぞれラドンミスト排出孔４３，４３が形成されている。このようなラドンミ
スト受けボックス４１をラドン放出室３の室内３４に設置することにより、ラドンミスト
を室内３４の形状に応じて効果的に噴射することが可能になる。なお、ラドンミスト受け
ボックス４１は、図３（ａ）〜（ｃ）に示した形状に限定されるものではなく、適宜形状
を変更してもよく、例えば、円筒状に形成されたものや、先端に向かうに従って細くなる
円錐台形状に形成されたものでもよい。また、ラドンミスト受けボックス４１に形成され
るラドンミスト排出孔４３は、複数形成されるのが好ましいが、少なくとも１箇所形成さ
れていればよい。また、ラドンミスト受けボックス４１は、下方側の両傾斜面４５，４５
の内側に、内部空間に突出するパイプ状のミスト案内筒４９，４９が設置され、このミス
ト案内筒４９，４９の孔がラドンミスト排出孔４３，４３になる。また、ラドンミスト受
けボックス４１を省略し、ラドンミストをミスト噴射手段６からラドン放出室３の室内３
４に直接噴射するようにしてもよい。
【００２３】
また、ラドン放出室３は、コーナー側壁４０の内面で、且つ、室内３４の下方位置（床
面３７の近傍位置）に、室内３４の空気を通気路３８内に吸い出す排気手段４６が配置さ
れ、この排気手段４６によって通気路３８内に送り出された空気がミスト噴射手段６及び
ラドンミスト受けボックス４１よりも上方に設置された通気口４７から室内３４に送り込
まれるようになっている。排気手段４６は、ラドン放出室３の室内３４と通気路３８とを
接続する排気口４８と、この排気口４８に取り付けられた排気ファン５０とを有している
。このような構成を採用することにより、室内３４に上方から下方へ降下する気流を生じ
させ、室内３４にラドンを効果的に拡散させることができると共に、室内３４をルームヒ
ータ３６等で均一に暖めることができる。
【００２４】
また、ラドン放出室３は、コーナー側壁４０の内面で、且つ、ミスト噴射手段６の下方
位置に、ラドンミスト受けボックス４１内の水を通気路３８を介して外部に排出する排水
路５１が取り付けられている。そして、排水路５１は、その端部が水回収タンク５２に接
続され、ラドンミスト受けボックス４１内の水を水回収タンク５２内に重力落下させるよ
うになっている。また、排水路５１は、通気路３８の内部において、コイル状に複数回巻
かれ、通気路３８内を流動する空気によって強制冷却できるようになっている。これによ
り、排水路５１は、ラドンミスト受けボックス４１内の温水を冷却した状態で水回収タン
ク５２へ送り出すことができる。このような構成を採用することにより、水の有効利用を
図ることができる。なお、ミスト噴射手段６からラドンミスト受けボックス４１内に噴射
されたラドンミストは、ラドンと水に分離された状態にあり、ラドンミスト受けボックス
４１の内面に付着した水滴がラドンミスト受けボックス４１の内部空間４２の底部に集め
られる。また、ラドン放出室３の床面３７には、排水口５３が設けられるとと共に、排水
口５３から流出した水を収容する排水タンク５４を設置するようになっている。
【００２５】
水回収タンク５４は、内部にラジウム鉱石５５と水５６が予め収容されており、ラドン
ミスト受けボックス４１内の水が排水路５１を介して送り込まれるようになっている。こ
こで、水回収タンク５４内の水５６は、ラジウム鉱石５５からラドンが溶出し、ラドン含
有水となる。
【００２６】
また、この水回収タンク５４は、その底部に給水路５７が接続されており、この給水路
５７の途中で分岐する第１給水路５７ａの先端がラドン溶出水槽２の上部に配置され、給
水路５７の途中で分岐する第２給水路５７ｂが手洗い場５８の蛇口６０に接続されている
。給水路５７の水回収タンク５４側端部には、給水路開閉バルブ６１が設置されている。
また、給水路５７の第１給水路５７ａと第２給水路５７ｂの分岐部には流路切換バルブ６
２が設置されている。これにより、水回収タンク５４内のラドンが溶出してなるラドン含
有水は、給水路開閉バルブ６１が開かれ、流路切換バルブ６２が操作されて第１給水路５
７ａが開かれ、第２給水路５７ｂが閉じられると、ラドン溶出水槽２内へ送り込まれる。
また、水回収タンク５２内のラドンが溶出してなるラドン含有水は、給水路開閉バルブ６
１が開かれ、流路切換バルブ６２が操作されて第２給水路５７ｂが開かれ、第１給水路５
７ａが閉じられると、手洗い場５８の蛇口６０に供給される。なお、第１給水路５７ａか
らラドン溶出水槽２内にラドン含有水を送り込む場合には、予めラドン溶出水槽２の蓋部
材１１を取り外すか又は開いておく。
【００２７】
コントローラ２５は、操作パネル６３の各種操作ボタンやタッチパネル、又はリモコン
６４等の入力手段から入力された情報、温度センサ３０やフロートスイッチ３１等のセン
サからの電気信号に基づいて、電磁開閉バルブ２６の作動、加熱手段５のヒータ２８への
通電、ルームヒータ３６のオン・オフ、排気手段４６の排気ファン５０のオン・オフを制
御するようになっている。なお、ルームヒータ３６は、ラドン放出室３の室内３４に温度
センサ及び湿度センサを設置し、これら温度センサ及び湿度センサの検知結果をコントロ
ーラ２５に入力し、コントローラ２５によって作動制御されるようにしてもよい。また、
ルームヒータ３６は、コンプレッサ７の起動と共に作動させてもよい。また、排気手段４
６の排気ファン５０は、ルームヒータ３６の作動に連動させて作動させてもよい。また、
ルームヒータ３６及び排気ファン５０は、手動でオン・オフするように構成してもよい。
【００２８】
以上のように構成されたラドンミスト噴射ユニット１は、先ず、ラドン溶出水槽２内に
十分な量の水１３が収容されていることを確認し、開閉バルブ１８，２０，２２，２３が
閉じられていることを確認する。その後、ラドンミスト噴射ユニット１は、自動運転する
ため、操作パネル６３のオートボタンをオンにし、マニュアル操作からオートに切り換え
、主電源をオンする。なお、予め、加熱手段５のヒータ２８の設定温度を操作パネル６３
等からコントローラ２５に入力しておくと共に、ミスト噴射手段６によるミスト噴射時間
（すなわち、ラドンミスト噴射ユニット１の作動時間）を操作パネル６３等からコントロ
ーラ２５に入力しておく。
【００２９】
このラドンミスト噴射ユニット１は、主電源がオンされると、加熱手段５のヒータ２８
がコントローラ２５によって通電制御される。次に、コンプレッサ７を駆動させ、コンプ
レッサ７内のエア圧力が所定圧力に達した後、開閉バルブ２０，２３を開き、エア漏れが
ないことを確認する。その後、第１エア配管８ａのレギュレーター２１の圧力計によって
ラドン溶出水槽２内の圧力が所定圧（例えば、０．２ＭＰａ）に達したこと、及び第２エ
ア配管８ｂのレギュレーター２４の圧力計が所定圧（例えば、０．２５〜０．４ＭＰａ）
に達したことを確認した後、ラドン含有水案内路４の開閉バルブ２２を開く。これにより
、ラドン溶出水槽２内のラドン含有水がラドン含有水案内路４内のエアを追い出しながら
ミスト噴射手段６まで到達する。
【００３０】
その後、加熱手段５の貯水タンク２７内のラドン含有水がヒータ２８によって所定の温
度（例えば、９０℃）まで加熱され、このラドン含有水の温度が温度センサ３０で検知さ
れ、この温度センサ３０の検知結果がコントローラ２５に入力されると、操作パネル６３
の液晶表示装置６５に貯水タンク２７内のラドン含有水の温度が表示される。なお、貯水
タンク２７内のラドン含有水の温度は、ヒータ２８がコントローラ２５によって通電制御
されることにより、所定の設定温度に保持される。
【００３１】
貯水タンク２７内のラドン含有水の温度が所定温度まで上昇したことを確認した後、操
作パネル６３又はリモコン６４のスタート（開始）ボタンをオンすると、電磁開閉バルブ
２６が作動して第２エア配管８ｂを開き、コンプレッサ７から供給される所定圧のエアが
ミスト噴射手段６に供給される。その結果、ミスト噴射手段６において、ラドン含有水案
内路４の加熱されたラドン含有水と第２エア配管８ｂの所定圧のエアが合流する。そして
、ミスト噴射手段６から温められたラドンミストがラドン放出室３内のラドンミスト受け
ボックス４１の内部空間４２に噴射され、ラドンミスト受けボックス４１のラドンミスト
排出孔４３からラドン放出室３の室内３４に噴射される。これにより、ラドンミスト噴射
ユニット１を正常に運転できることが確認される。
【００３２】
このラドンミストのラドン放出室３内への噴射を確認した後、操作パネル６３又はリモ
コン６４のストップ（停止）ボタンをオンすると、電磁開閉バルブ２６が作動して第２エ
ア配管８ｂを閉じ、ミスト噴射手段６からのラドンミストの噴射が停止し、ラドンミスト
噴射ユニット１の使用準備が完了する。
【００３３】
この使用準備完了後にラドンミスト噴射ユニット１を使用する場合は、スタートボタン
のオン操作だけで、コントローラ２５の計時手段（タイマー）によって、ラドンミストが
ミスト噴射手段６から所定の設定時間だけ噴射され、スタートボタンのオンから所定の設
定時間経過すると、電磁開閉バルブ２６が第２エア配管８ｂを閉じ、ミスト噴射手段６か
らのラドンミストの噴射が自動停止する。なお、本実施形態のラドンミスト噴射ユニット
１は、スタートボタンのオンから所定の設定時間が経過する前にラドンミストの噴射を停
止させたい場合、ストップボタンをオンすることにより、コントローラ２５のタイマーの
作動を無視し、電磁開閉バルブ２６を作動させて第２エア配管８ｂを閉じ、ミスト噴射手
段６からのラドンミストの噴射を停止させることができる。
【００３４】
このような本実施形態のラドンミスト噴射ユニット１によれば、ラドン溶出水槽２内に
ラジウム鉱石１２と水１３を収容し、水１３にラドンが溶出してなる所望ラドン濃度のラ
ドン含有水が生成され、そのラドン溶出水槽２内のラドン含有水がなくなるまで、ミスト
噴射手段６から温められた所望ラドン濃度のラドンミストを連続して噴射することができ
る。
【００３５】
したがって、本実施形態のラドンミスト噴射ユニット１は、複数人が交互に連続して利
用するような場合にも、構造を大型化することなく、コンパクトな構造のままで対応でき
る。
【００３６】
また、本実施形態のラドンミスト噴射ユニット１は、加熱手段５によって温められたラ
ドンミストをミスト噴射手段６からラドン放出室３の室内３４へ噴射し、ラドン放出室３
の室内３４をルームヒータ３６で加熱することにより、ラドン放出室３の室内３４を生活
習慣病等の治療効果が期待されるといわれている環境（温度３８℃、湿度７０％）に近づ
けることができる。
【００３７】
なお、本実施形態に係るラドンミスト噴射ユニット１において、排水路５１は、その端
部が水回収タンク５２に接続され、ラドンミスト受けボックス４１内の水を水回収タンク
５２内に重力落下させるようになっているが、これに限られず、ラドンミスト受けボック
ス４１内の水を通気路３８を介して排水溝又は排水タンクに排出するようにしてもよい。
なお、ラドンミスト受けボックス４１内の水は、殆どラドンを含んでいないため、排水溝
等に直接排水しても問題を生じることがない。
【符号の説明】
【００３８】
１……ラドンミスト噴射ユニット、２……ラドン溶出水槽、３……ラドン放出室、４…
…ラドン含有水案内路、５……加熱手段、６……ミスト噴射手段、６ａ……噴射口、７…
…コンプレッサ、１２……ラジウム鉱石（放射性物質含有鉱石）、１３……水、３４……
室内、３８……通気路、４１……ラドンミスト受けボックス、４２……内部空間、４３…
…ラドンミスト排出孔、４６……排気手段、４７……通気口
【図１】
2015027393.tif 000003
【図２】
2015027393.tif 000004
【図３】
2015027393.tif 000005